(57)【要約】      （修正有）【課題】趣向を凝らした年賀ハガキを提供する。【解決手段】ハガキ本体１と、これに剥離可能で、かつ、再貼着可能な弱粘着剤層によって貼着されるシール３とを備える。ハガキ本体１の裏面には、「迎春」の文字１ａ、矢１ｂ、および矢１ｂに紐で結ばれた五角形状の絵馬の形をした貼着枠１ｃが描かれており、ハガキは、年賀状用に使用される。ハガキ本体１の裏面に描かれた貼着枠１ｃには、差出人のプライベートなメッセージが記入される。シール３は、貼着枠１ｃに適合する五角形状で、シール３の表面には、ハガキ本体１の図柄の一部を構成する年始の挨拶文などが印刷されている。【選択図】図１
0003156747.tif 000002
【実用新案登録請求の範囲】
【請求項１】
裏面に図柄が描かれたハガキ本体と、
このハガキ本体の裏面に剥離後再貼着可能な弱粘着剤層を備えたシールとからなり、
前記ハガキ本体の裏面の図柄の一部に前記シールを貼着する貼着枠が形成され、前記シールが前記貼着枠に貼着された状態において、前記シールの表面の図柄が、前記ハガキ本体の裏面に描かれた図柄の一部を構成すると共に、前記貼着枠内に祝い言葉や占い文字などのメッセージが記載されてなる
ことを特徴とするハガキ。
【請求項２】
前記ハガキ本体の裏面の貼着枠として絵馬が描かれており、
前記シールが、貼着枠に適合する絵馬の形状に形成されている
ことを特徴とする請求項１に記載のハガキ。
【請求項３】
前記ハガキ本体の裏面の貼着枠としておみくじが描かれており、
前記シールが、貼着枠に適合するおみくじの形状に形成されている
ことを特徴とする請求項１に記載のハガキ。
【考案の詳細な説明】
【技術分野】
【０００１】
本考案は、ハガキに関するものである。
【背景技術】
【０００２】
従来、年賀状、挨拶状またはお礼状などを送る際に、ハガキが使用されている。
【考案の概要】
【考案が解決しようとする課題】
【０００３】
従来の年賀ハガキは、裏面に挨拶文などが記入されると共に、絵柄が印刷されているものである。
【０００４】
本考案は、この年賀ハガキに、より趣向を凝らしたものを提供せんとするものである。
【課題を解決するための手段】
【０００５】
請求項１に記載の考案は、裏面に図柄が描かれたハガキ本体と、このハガキ本体の裏面に剥離後再貼着可能な弱粘着剤層を備えたシールとからなり、前記ハガキ本体の裏面の図柄の一部に前記シールを貼着する貼着枠が形成され、前記シールが前記貼着枠に貼着された状態において、前記シールの表面の図柄が、前記ハガキ本体の裏面に描かれた図柄の一部を構成すると共に、前記貼着枠内に祝い言葉や占い文字などのメッセージが記載されてなることを特徴とするハガキである。
【０００６】
請求項２に記載の考案は、前記ハガキ本体の裏面の貼着枠として絵馬が描かれており、前記シールが、貼着枠に適合する絵馬の形状に形成されていることを特徴とする請求項１に記載のハガキである。
【０００７】
さらに、請求項３に記載の考案は、前記ハガキ本体の裏面の貼着枠としておみくじが描かれており、前記シールが、貼着枠に適合するおみくじの形状に形成されていることを特徴とする請求項１に記載のハガキである。
【考案の効果】
【０００８】
本考案のハガキによれば、ハガキを受け取ったときに発信者からの通常の連絡内容を知り、しかも、シールを剥離することによって別の祝い言葉や、占い結果などのメッセージを見ることができ、さらに、シールを再貼着しておくことにより、通常の連絡内容とメッセージの両方を保存しておくことができるものである。
【図面の簡単な説明】
【０００９】
【図１】本考案のハガキの一実施例を示す図であり、ハガキ本体の裏面とシールとを示している。
【図２】図１のハガキ本体にシールを貼りつけている状態を示す図である。
【図３】本考案のハガキの他の例を示す図であり、ハガキ本体の裏面とシールとを示している。
【図４】図３のハガキ本体にシールを貼りつけている状態を示す図である。
【考案を実施するための形態】
【００１０】
以下、本考案のハガキについて、図面に基づき詳細に説明する。
【００１１】
図１は、本考案のハガキの一実施例を示す図であり、ハガキ本体の裏面とシールとを示している。
図２は、図１のハガキ本体にシールを貼り付けている状態を示す図である。
【００１２】
本実施例のハガキは、ハガキ本体１と、これに剥離可能に貼着されるシール３とを備える。ハガキ本体１は、縦約１５ｃｍ、横約１０ｃｍの長方形状のシート状とされ、紙により形成されている。
ハガキ本体１の表面には、送り先の住所や氏名などを記入することができる。
なお、ハガキ本体１の大きさや形状は、ハガキとして郵送できる範囲であれば適宜変更可能であり、材質も変更可能である。
【００１３】
ハガキ本体１の裏面には、図柄が描かれている。
本実施例では、ハガキ本体１の裏面に、「迎春」の文字１ａ、矢１ｂが描かれると共に、矢１ｂに紐で結ばれた態様で貼着枠１ｃとなる五角形状の絵馬が印刷により描かれている。絵馬には、トラのマスコット１ｄが紐でぶら下げられた状態が描かれている。
このように本実施例のハガキ本体１の裏面には、正月を連想させる図柄が描かれており、本実施例のハガキは、年賀状用に使用される。
【００１４】
ハガキ本体１の裏面に描かれた貼着枠１ｃの中には、比較的プライベートなお祝い言葉からなるメッセージが記入されている。そして、このハガキ本体１の裏面に描かれた図柄の一部を構成する貼着枠１ｃに、シール３が貼着される。
【００１５】
シール３は、ハガキ本体１の裏面に描かれた貼着枠１ｃに対応して貼られ、本実施例ではハガキ本体１の裏面に描かれた図柄の一部を構成する絵馬に対応して貼りつけられる。
具体的には、シール３は、ハガキ本体１の裏面に描かれた貼着枠１ｃである絵馬に適合する形状とされている。
シール３の表面には、ハガキ本体１の裏面と同様に、トラのマスコットがぶら下がった状態が描かれている。また、シール３の表面には、通常の年始の挨拶文などが印刷されている。図示例では、「あけましておめでとうございます」の一文などが予め印刷されている。
シール３の裏面には、剥離可能であると共に再貼着可能な程度の弱粘着剤層が形成され、ハガキを受け取ったとき裏面の通常の挨拶文を読み、さらにシールを剥離してプライベートなメッセージを読んだ後、シールを再貼着して保管することができる。シール３の裏面には剥離紙９が付されている。
【００１６】
裏面に図柄が描かれたハガキ本体１と、剥離紙９に付いたシール３とをセットで購入し、本実施例のハガキを使用する場合、差出人は、ハガキ本体１の表面に送り先の住所や氏名を記入する。そして、ハガキ本体１の裏面の貼着枠１ｃの内側にプライベートなメッセージを記入する。メッセージを記入した後、シール３に付けられた剥離紙９を取り去って、シール３をハガキ本体１の貼着枠内に向きを合わせて貼りつける。つまり、ハガキ本体１の裏面の絵馬１ｃの向きに合わせてシール３を貼りつける。
シール３を貼り付けた状態で、シール３はハガキ本体１の裏面の図柄の一部を構成する。つまり、本実施例では、シール３は、ハガキ裏面に描かれた絵馬を構成し、ハガキ本体１の裏面の図柄と調和する。
【００１７】
本実施例のハガキを受け取った受取人は、まず、ハガキの裏面の通常の挨拶文を見た後、シール３を剥がしてハガキ本体１の貼着枠１ｃ内に記入されたメッセージを見る。また、シール３は、再度ハガキ本体１の絵馬１ｃ上に貼りつけることができ、シール３は、剥離が可能であると共に、再貼り付けが可能とされる。
【００１８】
本実施例のハガキによれば、シール３により、比較的プライベートな内容のメッセージを隠して送ることができ、また趣向を凝らしたハガキを送ることができる。
また、本実施例では、ハガキ本体１に単にシール３を貼るのではなく、シール３は、ハガキ本体１に描かれた図柄の一部を構成する形状に形成されており、シール３の表面にハガキ本体１に描かれた図柄の一部を構成することにより通常の挨拶文章として違和感のないものとなる。
【００１９】
次に、本考案のハガキの他の実施例について説明する。
【００２０】
この実施例のハガキは、基本的構成は、上記実施例のハガキと同様の構成であり、以下においては異なる部分を中心に説明する。
【００２１】
この例のハガキも年賀状用とされ、ハガキ本体１１の裏面には、木の枝１１ａに複数のおみくじ１１ｂが結ばれた様子が印刷により描かれている。また、木の枝１１ａに紐で結ばれた一つの長方形状の貼着枠１１ｃがおみくじを拡大した態様で描かれている。本実施例では、おみくじの形をした貼着枠１１ｃにシール１３が貼着される。
【００２２】
シール１３は、第１の実施例と同様、ハガキ本体１１の貼着枠１１ｃに適合する形状とされている。
本実施例では、シール１３は、ハガキ本体１１の貼着枠１１ｃであるおみくじと同じ形状で同じ大きさの長方形状とされ、表面には「おみくじ」の文字などが印刷されており、裏面には弱粘着剤層が形成されて剥離紙１５上に仮貼着されている。
差出人は、ハガキ本体１１の貼着枠１１ｃの上側の枠内に大吉や、吉などの占い文字１１ｄを記入し、下側の枠内にプライベートなメッセージを記入した後、シール１３を貼着枠１１ｃに貼りつけて送る。
本実施例によれば、通常の挨拶文に加えてシールを剥がすことによって一年を占う運勢を見ることができ、個性ある年賀状を提供できるものである。
【００２３】
このように、本考案のハガキは、ハガキ本体の裏面に描かれた図柄の一部を構成するように貼着枠が形成され、この貼着枠の形状に適合するシールが形成されていると共に、シールが貼りつけられるハガキ本体の貼着枠にメッセージが記入されているので、シールを剥離する前に通常の挨拶文としての年賀状などとして見ることができ、シールを剥離することによってプライベートなメッセージを見ることができ、しかも、シールは剥離可能であると共に再貼着可能な弱粘着剤層でハガキ本体に貼着されているので、剥がして見たあと再貼着して保管しておくことができる。
【００２４】
なお、本考案のハガキは、上記実施例の構成に限らず、適宜変更可能である。
たとえば、上記実施例では、ハガキが年賀状に使用される場合について説明したが、ハガキ裏面の図柄を変更して挨拶状やお礼状などにも適用可能である。なお、ハガキ本体の裏面に描かれる図柄を変更する場合、その中の貼着枠の形状に合わせてシールの形状を変更する。
【符号の説明】
【００２５】
１  ハガキ本体
３  シール
【図１】
0003156747.tif 000003
【図２】
0003156747.tif 000004
【図３】
0003156747.tif 000005
【図４】
0003156747.tif 000006